(57)【要約】【課題】光ピックアップで発生する熱を光ピックアップ本体より遙かに大きな熱容量を有する部材に伝導して速やかにしかも大容量の熱の放熱を可能にすることを課題とする。【解決手段】回転するディスク状記録媒体４０の半径方向に移動可能にメカシャーシ５０に支持された移動ベース８１に光源である半導体レーザー８２と対物レンズ８３と光検出器と所定の光路を形成する光学系を備え、対物レンズによって光源からの光をディスク状記録媒体に照射すると共にディスク状記録媒体の記録面で反射された戻り光を光検出器に受光させるように構成された光ピックアップ８０を備え、かつ、上記メカシャーシが直接的に又は間接的に支持される金属製のベース部材６０を備え、上記ベース部材に対する光ピックアップの移動に追従し得る可撓性を備えると共に熱伝導性を有するフレキシブルな熱伝導シート、例えば、グラファイトシート１１０によって光ピックアップとベース部材との間を熱的に接続した。【選択図】        図３
2004310965.tif 000002
【特許請求の範囲】
【請求項１】
回転するディスク状記録媒体の半径方向に移動可能に金属製のメカシャーシに支持された移動ベースに光源と対物レンズと光検出器と所定の光路を形成する光学系を備え、対物レンズによって光源からの光をディスク状記録媒体に照射すると共にディスク状記録媒体の記録面で反射された戻り光を光検出器に受光させるように構成された光ピックアップを備えたディスクドライブ装置であって、
上記金属製メカシャーシに対する光ピックアップの移動に追従し得る可撓性を備えると共に熱伝導性を有するフレキシブルな熱伝導シートによって光ピックアップと金属製メカシャーシとの間を熱的に接続した
ことを特徴とするディスクドライブ装置。
【請求項２】
上記フレキシブルな熱伝導シートがグラファイトシートである
ことを特徴とする請求項１に記載のディスクドライブ装置。
【請求項３】
上記フレキシブルな熱伝導シートを金属製メカシャーシ及び／又は光ピックアップに押しつける押しつけ部材を有する
ことを特徴とする請求項１に記載のディスクドライブ装置。
【請求項４】
上記フレキシブルな熱伝導シートと金属製メカシャーシ及び／又は光ピックアップとの間に熱伝導性を有するグリースが介在された
ことを特徴とする請求項１に記載のディスクドライブ装置。
【請求項５】
光源が半導体レーザーであり、フレキシブルな熱伝導シートの光ピックアップ側の端部は上記半導体レーザーに接触された
ことを特徴とする請求項１に記載のディスクドライブ装置。
【請求項６】
光ピックアップが半導体レーザーを駆動するためのレーザー駆動用集積回路を備え、
フレキシブルな熱伝導シートの光ピックアップ側の端部は上記レーザー駆動用集積回路に接触された
ことを特徴とする請求項１に記載のディスクドライブ装置。
【請求項７】
上記光源が半導体レーザーであると共に光ピックアップが半導体レーザーを駆動するためのレーザー駆動用集積回路を備え、
一のフレキシブルな熱伝導シートの光ピックアップ側の端部が上記半導体レーザーとレーザー駆動用集積回路に接触された
ことを特徴とする請求項１に記載のディスクドライブ装置。
【請求項８】
回転するディスク状記録媒体の半径方向に移動可能にメカシャーシに支持された移動ベースに光源と対物レンズと光検出器と所定の光路を形成する光学系を備え、対物レンズによって光源からの光をディスク状記録媒体に照射すると共にディスク状記録媒体の記録面で反射された戻り光を光検出器に受光させるように構成された光ピックアップを備えたディスクドライブ装置であって、
上記メカシャーシが直接的に又は間接的に支持される金属製のベース部材を備え、
上記ベース部材に対する光ピックアップの移動に追従し得る可撓性を備えると共に熱伝導性を有するフレキシブルな熱伝導シートによって光ピックアップとベース部材との間を熱的に接続した
ことを特徴とするディスクドライブ装置。
【請求項９】
上記フレキシブルな熱伝導シートがグラファイトシートである
ことを特徴とする請求項８に記載のディスクドライブ装置。
【請求項１０】
上記フレキシブルな熱伝導シートをベース部材及び／又は光ピックアップに押しつける押しつけ部材を有する
ことを特徴とする請求項８に記載のディスクドライブ装置。
【請求項１１】
上記フレキシブルな熱伝導シートとベース部材及び／又は光ピックアップとの間に熱伝導性を有するグリースが介在された
ことを特徴とする請求項８に記載のディスクドライブ装置。
【請求項１２】
光源が半導体レーザーであり、フレキシブルな熱伝導シートの光ピックアップ側の端部は上記半導体レーザーに接触された
ことを特徴とする請求項８に記載のディスクドライブ装置。
【請求項１３】
光ピックアップが半導体レーザーを駆動するためのレーザー駆動用集積回路を備え、
フレキシブルな熱伝導シートの光ピックアップ側の端部は上記レーザー駆動用集積回路に接触された
ことを特徴とする請求項８に記載のディスクドライブ装置。
【請求項１４】
上記光源が半導体レーザーであると共に光ピックアップが半導体レーザーを駆動するためのレーザー駆動用集積回路を備え、
一のフレキシブルな熱伝導シートの光ピックアップ側の端部が上記半導体レーザーとレーザー駆動用集積回路に接触された
ことを特徴とする請求項８に記載のディスクドライブ装置。
【発明の詳細な説明】
【０００１】
【発明の属する技術分野】
本発明は新規なディスクドライブ装置である。詳しくは、ディスク状記録媒体に対する信号の書き込み及び／又は読取を行う光ピックアップに発生する熱を効果的に放熱する技術に関する。
【０００２】
【従来の技術】
ディスクドライブ装置、特に、ＣＤ−Ｒ（Ｃｏｍｐａｃｔ  Ｄｉｓｃ  Ｒｅｃｏｒｄａｂｌｅ）やＣＤ−ＲＷ（Ｃｏｍｐａｃｔ  Ｄｉｓｃ  Ｒｅｗｒｉｔａｂｌｅ）をはじめとするデータ記録機能を搭載した光ディスクドライブ装置において、これに搭載される光ピックアップは、近年の記録速度の高速化に伴う半導体レーザーの高出力化によって大きな発熱を伴う。さらに、ブルーレイディスク（Ｂｌｕ−ｒａｙ  Ｄｉｓｃ）に使用される青紫レーザダイオードは、赤外レーザーダイオード、赤色レーザーダイオードに比べ大きな発熱を伴う。そして、レーザーダイオードは、その特性上温度が高くなれば、発振波長が安定せず、光ピックアップの記録性能及び再生性能に悪影響を及ぼし、また、寿命も著しく短くなってしまう。
【０００３】
また、記録速度の高速化に伴いレーザーダイオード等の半導体レーザーを駆動するためのレーザー駆動用集積回路の負荷も大きくなり、該レーザー駆動用集積回路の発熱も増加傾向にある。
【０００４】
さらに、光ピックアップの小型化の要求により、光ピックアップの放熱対策の採用がさらに困難になっている。
【０００５】
光ピックアップにおける従来の放熱対策としては、半導体レーザー及びレーザー駆動用集積回路の熱を、亜鉛、アルミニウム、マグネシウム等の金属製の光ピックアップ本体に逃がして放熱するのが一般的であった。
【０００６】
しかしながら、光ピックアップ本体の熱容量には限りがあり、また、半導体レーザーは他の部品や光学系との間の位置決めが必要であるため、位置決め後に接着剤によって光ピックアップ本体に固定される場合がほとんどであり、接着剤の介在によって半導体レーザーと光ピックアップ本体との間の熱結合が十分ではなく、半導体レーザーの熱が十分に放熱されない。
【０００７】
また、近年ではコストダウンや軽量化のために、光ピックアップ本体の樹脂化の要求もあり、光ピックアップ本体を樹脂によって形成した場合には、半導体レーザーやレーザー駆動用集積回路の熱を光ピックアップ本体に逃がして放熱することは困難になる。
【０００８】
そこで、特許文献１に、光ピックアップ本体を樹脂で形成した場合、光ピックアップ本体（１）である樹脂フレーム（２）の裏面に銅製の放熱板（１３）を２本の金属製ビス（４１）、（４２）によって固定し、半導体レーザー（３）から発生した熱を放熱板（１３）の接触部分（１４）を介して放熱板（１３）に伝導し、放熱板（１３）及びビス（４１）、（４２）を介して外部に放出することが示されている。
【０００９】
また、特許文献１には、光ピックアップ（１）の移動方向を案内する主ガイド軸（１１）及び副ガイド軸（１２）の一方あるいは双方に接触可能なガイド軸接触部分（具体的には図示されていない）を放熱板（１３）に形成し、該ガイド軸接触部分を上記ガイド軸（１１）及び／又は（１２）に接触させて、これらガイド軸（１１）及び／又は（１２）を放熱部分として利用することができる旨（特許文献第６欄段落（００３４）参照）が示されている。
【００１０】
さらに、特許文献１には、フレキシブルプリント配線基板（９）におけるＣＤ用半導体レーザー（４）の端子ピン（４１）〜（４３）に接続されている配線パターンを必要以上の断面積あるいは表面積としてあるので、これらの配線パターンが放熱部分として機能する、と示されている。
【００１１】
【特許文献１】
特開２００１−１４７１２号公報
【００１２】
【発明が解決しようとする課題】
特許文献１に示されるように、樹脂製フレームに放熱板を固定したものでは、元々光ピックアップ本体の熱容量が小さいのに、光ピックアップ本体のほとんどを樹脂製フレームとし、該樹脂製フレームに放熱板を支持させたのでは、放熱板に熱伝導性の良いものを使用しても、放熱板自体の大きさが限られてしまうので、十分な放熱効果は期待することができない。
【００１３】
また、ガイド軸を介して放熱する方法であるが、光ピックアップはガイド軸に案内されて移動するものである。ガイド軸と該ガイド軸に対して移動する光ピックアップとの間で接触により熱結合させる場合、両者は摺動関係にあるため、両者の間の熱抵抗を小さくして結合するにはよほどの工夫が必要であり、構造が複雑になったり、高価な材料の使用が必要になる等の困難が予想される。特許文献１においても、「ガイド軸を介して放熱することが考えられる」と、希望的な案が示されているのみで、両者の間の熱結合のための具体的構成は示されていない。仮に、ガイド軸との間の熱結合を良好に得ることができたとしても、ガイド軸自体の熱容量はさほど大きくはないので、今日の、記録速度が高速化された光ピックアップに発生する熱を効果的に放熱することができるかは疑問の残るところである。
【００１４】
さらに、特許文献１には、フレキシブル配線基板を介して放熱する案が示されているが、フレキシブル配線基板は基本的には配線パターン同士あるいは配線パターンと外部のものとの間の短絡を防止するためにベースフィルムとカバーフィルムとの間で配線パターンがサンドイッチされた構造を採るので、外気と配線パターンとの間に熱伝導率の低い絶縁フィルムが介在することになり、大きな放熱効果は得られない。
【００１５】
また、配線パターンを必要以上の断面積あるいは表面積とすることで放熱効果は改善されるが、小型化の妨げになりうる。
【００１６】
そこで、本発明は、光ピックアップで発生する熱を光ピックアップ本体より遙かに大きな熱容量を有する部材に伝導して速やかにしかも大容量の熱の放熱を可能にすることを課題とする。
【００１７】
【課題を解決するための手段】
本発明ディスクドライブ装置は、上記した課題を解決するために、光ピックアップを移動自在に支持している金属製のメカシャーシに対する光ピックアップの移動に追従し得る可撓性を備えると共に熱伝導性を有するフレキシブルな熱伝導シートによって光ピックアップと金属製メカシャーシとの間を熱的に接続したものである。
【００１８】
従って、本発明ディスクドライブ装置にあっては、光ピックアップに発生した熱は、熱伝導シートを介して熱容量が極めて大きい金属製メカシャーシに速やかに伝導される。
【００１９】
別の本発明ディスクドライブ装置は、上記した課題を解決するために、光ピックアップを移動自在に支持しているメカシャーシが直接的に又は間接的に支持される金属製のベース部材を備え、上記ベース部材に対する光ピックアップの移動に追従し得る可撓性を備えると共に熱伝導性を有するフレキシブルな熱伝導シートによって光ピックアップとベース部材との間を熱的に接続したものである。
【００２０】
従って、別の本発明ディスクドライブ装置にあっては、光ピックアップに発生した熱は、熱伝導シートを介して熱容量が極めて大きい金属製のベース部材に速やかに伝導される。
【００２１】
【発明の実施の形態】
以下に、本発明ディスクドライブ装置の実施の形態について添付図面を参照して説明する。
【００２２】
なお、本発明ディスクドライブ装置は、ディスク状記録媒体にレーザーを使用して情報の書き込み及び／又は読取を行う装置、例えば、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄｉｓｃ  Ｒｅｃｏｒｄａｂｌｅ）、ＣＤ−ＲＷ（Ｃｏｍｐａｃｔ  Ｄｉｓｃ  Ｒｅｗｒｉｔａｂｌｅ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）、ＤＶＤ−Ｒ（Ｄｉｇｉｔａｌ  Ｖｅｒｓａｔｉｌｅ  Ｄｉｓｃ  Ｒｅｃｏｒｄａｂｌｅ）、ＤＶＤ−ＲＷ（Ｄｉｇｉｔａｌ  Ｖｅｒｓａｔｉｌｅ  Ｄｉｓｃ  Ｒｅｗｒｉｔａｂｌｅ）、ＤＶＤ−ＲＡＭ（Ｄｉｇｉｔａｌ  Ｖｅｒｓａｔｉｌｅ  Ｄｉｓｃ  Ｒａｎｄｏｍ  Ａｃｃｅｓｓ  Ｍｅｍｏｒｙ）、Ｂｌｕ−ｒａｙ  Ｄｉｓｃ、ＭＯ（Ｍａｇｎｅｔｏ  Ｏｐｔｉｃａｌ  Ｄｉｓｃ）等のディスク状記録媒体にレーザーを使用して情報の書き込み及び／又は読取を行う装置、すなわち、情報の書き込みのみを行う装置、情報の読取のみを行う装置及び情報の書き込みと読取の双方を行う装置を含む。
【００２３】
図１及び図２はディスクドライブ装置１０の外観を示すものである。ディスクドライブ装置１０はほぼ箱形をした外筐２０を備え、該外筐２０内に所要の各部材及び部品が配置されて成る。
【００２４】
外筐２０の前面部２１に横長の開口２２が形成され、また、上記前面部２１には各種の操作ボタン２３、２３、・・・が配置されている。
【００２５】
外筐２０の上記開口２２を介してディスクトレー３０が外筐２０内に対して出し入れされるようになっている。図１がディスクトレー３０が外筐２０内に引き込まれた状態を示し、図２がディスクトレー３０が外筐２０から引き出された状態を示す。ディスクトレー３０はほぼ平たい角皿状をしており、中心部に挿脱口３１が形成され、該挿脱口３１を囲むように円形の浅い載置凹部３２が形成されている。また、挿脱口３１から一方の端部にかけて切欠３３が形成されている。
【００２６】
図２に示すように、ディスクトレー３０が外筐２０外に引き出されている状態で、ディスクトレー３０に対するディスク状記録媒体４０の供給と取り出しが行われる。ディスク状記録媒体４０の供給を為す場合には、ディスク状記録媒体４０をディスクトレー３０の載置凹部３２内に載置する。このようにディスク状記録媒体４０をディスクトレー３０に供給すると、ディスク状記録媒体４０の中心に形成されている中心孔４１がディスクトレー３０の挿脱口３１と上下で対応した関係になる。
【００２７】
ディスクトレー３０が図２に示す引出位置から外筐２０内に引き込まれると、機構の詳細は省略するが、ディスクトレー３０は僅かに下方へ沈み込む。このディスクトレー３０の沈み込みによって、ディスクトレー３０に供給されているディスク状記録媒体４０が後述するディスク回転機構に装着され、且つ、光ピックアップの対物レンズがディスクトレー３０の切欠３３を介してディスク状記録媒体４０の記録面に僅かな間隔をおいて対向される。なお、ディスクトレー３０の引込み位置での下方への沈み込みを無くし、その替わりに、ディスクトレー３０が外筐２０内に引き込まれたときに、ディスク回転機構及び光ピックアップの方が僅かに上昇してディスク状記録媒体４０を装着するようにしても良い。何れにしても、ディスク回転機構にディスク状記録媒体４０が装着されるときには、ディスクトレー３０の挿脱口３１を介してディスク回転機構がディスクトレー３０の載置凹部３２内に相対的に突出され、これによって、ディスク回転機構に装着されたディスク状記録媒体４０はディスクトレー３０の載置凹部３２から僅かに浮き上がった状態となる。
【００２８】
図３は内部構造の概要を主としてディスクトレー３０を除いて示すものである。
【００２９】
メカシャーシ５０がベース部材６０に合成ゴム、天然ゴム等のゴム状弾性を有するゴム弾性体で形成されたインシュレータ６１、６１、・・・を介して支持されている。上記メカシャーシ５０及びベース部材６０は熱伝導性の良好な材料、例えば、アルミニウム、マグネシウム合金、ステンレス鋼等で形成されている。なお、ここに上げた材料は、何れも例示であり、これ以外の材料であっても熱伝導性が良好で、且つ、所定の剛性を有するものであれば使用可能である。また、ベース部材６０はメカシャーシ５０を支持するためのベース部分となるものであり、例えば、上記した外筐２０の底板であったり、或いは、外筐２０の内側に固定された外筐２０とは別の部材である。
【００３０】
メカシャーシ５０には前後方向に長い矩形をした大きな開口５１が形成されており、該開口５１の長手方向における一端部に隣接してディスク回転機構７０が支持されている。ディスク回転機構７０はメカシャーシ５０の上面に支持されたスピンドルモータ７１と該スピンドルモータ７１の回転軸７１ａの上端に固定されたディスクテーブル７２とから成る。
【００３１】
メカシャーシ５０には、開口５１を長手方向に、すなわち、前後方向に横切るように２本のガイド軸５２（主ガイド軸）、５３（副ガイド軸）が互いに平行を為すように支持されている。
【００３２】
上記ガイド軸５２、５３に案内されてディスク回転機構７０に離接する方向に移動するように光ピックアップ８０が設けられている。光ピックアップ８０はガイド軸５２、５３に摺動自在に支持された移動ベース８１を有し、該移動ベース８１に所要の部材及び部品が支持されて光ピックアップ８０が形成される。移動ベース８１は２つのガイド軸５２、５３の配列方向における両端部に摺動部８１ａ、８１ｂを有し、一方の摺動部８１ａが形成された側の端面にはラック８１ｃが形成されている。そして、摺動部８１ａが主ガイド軸５２に摺動自在に支持され、また、摺動部８１ｂが副ガイド軸５３に摺動自在に支持される。これによって、移動ベース８１がガイド軸５２、５３に摺動自在に支持される。
【００３３】
移動ベース８１には光ピックアップ８０の構成に不可欠の部材や部品、例えば、光源として、レーザーダイオード等の半導体レーザー８２、半導体レーザー８２からのレーザーをディスク状記録媒体４０の記録面にスポット照射し、且つ、ディスク状記録媒体４０の記録面で反射された戻り光を受光する対物レンズ８３、上記戻り光を受光する図示しない光検出器、半導体レーザー８２からのレーザーを対物レンズ８３へ導き、且つ、対物レンズ８３が受光した上記戻り光を光検出器まで導く図示しな光学系等を備えている。なお、これらの光ピックアップとして必要な部材や部品及びそれらの具体的配置は、半導体レーザー８２を除いては、本発明においての要部ではなく、既知のものを適用して構成できるものであるので、図示及び詳細な説明は省略する。
【００３４】
上記移動ベース８１上にはプリント配線基板８４が配置され、該プリント配線基板８４には半導体レーザー８２の駆動を行うレーザー駆動用集積回路８５の他光ピックアップ８０に必要な回路を構成する各種の電子部品が搭載され、また、上記半導体レーザー８２がプリント配線基板８４に接続されている。
【００３５】
上記ベース部材６０上には、ディスクドライブ装置１０に必要な電子回路部分の主たる部分が構成された主回路基板９０が配置されており、該主回路基板９０と光ピックアップ８０のプリント配線基板８４との間がフレキシブルプリント回路基板９１によって接続され、該フレキシブルプリント回路基板９１を介して主回路基板９０からプリント配線基板８４へ向けて電力の供給と主回路基板９０とプリント配線基板８４との間の各種信号の伝達が行われる。
【００３６】
上記メカシャーシ５０には光ピックアップ８０をディスク回転機構７０に離接する方向へ移動させるスレッド機構１００が配置されている。該スレッド機構１００は、光ピックアップ８０のラック８１ｃと噛合したピニオン１０１と、直流モータ、ステッピングモータ等から成るスレッドモータ１０２と、ピニオン１０１とスレッドモータ１０２との間を連携しているギヤ列１０３とから成り、スレッドモータ１０２の駆動がギヤ列１０３を介してピニオン１０１に伝達され、該ピニオン１０１の回転によってラック８１ｃが送られることによって、光ピックアップ８０が２つのガイド軸５２、５３に案内されて移動される。
【００３７】
上記したように、ディスク状記録媒体４０が載置されたディスクトレー３０が外筐２０内に引込まれてわずかに下降すると、ディスク状記録媒体４０がディスク回転機構７０のディスクテーブル７２上に載置され、これによって、ディスク状記録媒体４０はディスクトレー３０からわずかに浮き上がった状態となる。また、これと同時に、光ピックアップ８０の対物レンズ８３がディスク状記録媒体４０の記録面に下方からわずかな間隔を置いて対向した状態となる。このような状態を、ディスク状記録媒体がローディングされた状態という。
【００３８】
なお、上記したローディングの方法は一例であり、その他にも、例えば、ディスクトレーが引込まれてから、ディスク回転機構及び光ピックアップが上昇してローディングを完了する方法等、幾つかの方法がある。しかしながら、かかるローディングの方法や機構については本発明の主題ではないので、説明を省略する。
【００３９】
上記したように、ディスク状記録媒体４０のローディングが行われた状態から、スピンドルモータ７１の駆動によってディスク状記録媒体４０が回転され、且つ、スレッド機構１００の駆動によって光ピックアップ８０がディスク状記録媒体４０の半径方向に、２つのガイド軸５２、５３に沿って移動しながら、半導体レーザー８２が駆動され、ディスク状記録媒体４０に対する情報の書き込み及び／又は読取が行われる。
【００４０】
半導体レーザー８２が駆動されることによって、半導体レーザー８２及びレーザー駆動用集積回路８５が発熱する。そこで、半導体レーザー８２及びレーザー駆動用集積回路８５が発生する熱を放熱するためにフレキシブルな熱伝導シート１１０が使用される。熱伝導シート１１０はフレキシブルなものである必要がある。熱伝導シート１１０は光ピックアップ８０が相対的に移動する関係にあるベース部材６０と光ピックアップ８０との間を連結するものであるため、光ピックアップ８０の移動に対して大きな負荷とならないものである必要がある。すなわち、熱伝導シート１１０は、ベース部材に対する光ピックアップの移動に追従して容易に撓むことが出来る可撓性を有するもである必要がある。また、半導体レーザー８２及びレーザー駆動用集積回路８５の熱を短時間でベース部材６０に伝達するために、熱伝導性の優れたものである必要がある。上記した要求から、例えば、グラファイトシートを使用することが好適であるが、勿論、本発明で使用される熱伝導シート１１０がグラファイトシートに限られることを意味するものではなく、上記した条件を満たすものであれば、他の材料から成るシートを使用することが可能である。
【００４１】
具体的には、１枚の熱伝導シート１１０の一端部である接続端部１１０ａをベース部材６０の上面に密着させ、他端部に２つの接触片１１０ｂ、１１０ｃを形成して、一の接触片１１０ｂを半導体レーザー８２のパッケージ８２ａに密着させ、さらに、他の接触片１１０ｃをレーザー駆動用集積回路８５のパッケージ８５ａに密着させる。これによって、半導体レーザー８２及びレーザー駆動用集積回路８５の熱は各接触片１１０ｂ、１１０ｃから熱伝導シート１１０を接続端部１１０ａへ向かって伝導され、最後に、ベース部材６０に伝達されて、ベース部材６０において放熱される。ベース部材６０の熱容量は光ピックアップ８０の移動ベース８１に比べると（移動ベース８１をベース部材６０と同様の金属で形成したとして）遙かに大きいので、半導体レーザー８２及びレーザー駆動用集積回路８５で発生する熱はベース部材６０に速やかに伝導され、且つ、ベース部材６０の大きな面積を有する表面から速やかに放熱される。特に、熱伝導シート１１０としてグラファイトシートを使用した場合は、グラファイトシートの熱伝導率が、図７に示すように、純銅の約２倍と極めて高いので、放熱が極めて速やかに為される。
【００４２】
なお、上記したグラファイトシートは純銅の約２倍と極めて高い熱伝導率を示すが、その構造上、他部材への熱伝導を良好にするには確実に密着させることが必要である。グラファイトシートは結晶性に優れたポリイミドシートを不活性雰囲気で焼成して成り、６角形の鱗片状を成すグラファイト構造が規則正しく並んでいる材料であり、６角形が並ぶ方向、すなわち、厚み方向に対して垂直な層面に沿う方向では８００Ｗ／ｍ・Ｋと非常に高い熱伝導率を示し、厚み方向、すなわち、層間方向では熱伝導率が層面方向の１／１０以下になるという特性を有する。そのため、グラファイトシートと他の部材との間で速やかに熱伝達が行われるためには、当該他の部材とグラファイトシートとの間に空気層の介在を避け、両者の密着度を極力高くすることが必要である。
【００４３】
そこで、図４乃至図６に各部において熱伝導シート１１０と他の部材との間の密着を確実にする構造の一例を示す。
【００４４】
図４は熱伝導シート１１０とベース部材６０との接続例を示すものである。ここに示した接続例では、まず、ベース部材６０の所定の箇所に熱伝導グリース１２０を塗布し、該熱伝導グリース１２０の上に熱伝導シート１１０のベース部材６０側接続端部１１０ａを重ね合わせ、該接続端部１１０ａを押さえバネ１３０によってベース部材６０側へ押しつけるように押圧する。
【００４５】
熱伝導グリース１２０は熱伝導率が高い金属の粉末を混入させること等によって熱伝導率を高くしたグリースであり、例えば、シリコンにアルミニウム粉等の金属粉を混入したシリコングリースがある。ベース部分６０と熱伝導シート１１０との間に熱伝導グリース１２０の層を介在させることにより、ベース部材６０と熱伝導シート１１０との間の空気層を確実に排除して、熱伝導シート１１０からベース部材６０への熱伝導を良好にすることができる。
【００４６】
上記押さえバネ１３０は板バネ形状を成し、取付部１３１と押圧部１３２とが中間部１３３で連結されており、取付部１３１がネジ止め、溶接等適宜の手段によってベース部材６０の上面に固定され、押圧部１３２が熱伝導シート１１０の接続端部１１０ａを図４中矢印Ｐ方向に押圧し、これによって、熱伝導シート１１０とベース部材６０との間の密着性が高められ、熱伝導シート１１０からベース部材６０への熱伝導をさらに良好にすることができる。この押さえバネ１３０には、例えば、ステンレス鋼、リン青銅等の金属から成る板バネが使用されるが、所望の押圧力が得られるものであれば、樹脂を使用しても良い。
【００４７】
図５は熱伝導シート１１０の接続片１１０ｂと半導体レーザー８２のパッケージ８２ａとの接続例を示すものである。
【００４８】
この例において、半導体レーザー８２は光ピックアップ８０の移動ベース８１に形成された切欠部８１ｄに嵌め込まれた状態で移動ベース８１に固定され、半導体レーザー８２のパッケージ８２ａの上面と移動ベース８１の上面とがほぼ同一の面内に位置している。そこで、半導体レーザー８２のパッケージ８２ａの上面及び移動ベース８１の切欠部８１ｄに隣接した上面に熱伝導グリース１２０を塗布し、該熱伝導グリース１２０の上に熱伝導シート１１０の接続片１１０ｂを重ね合わせ、さらに、接続片１１０ｂの上に押さえ板１４０を重ね合わせる。そして、ビス１４１、１４１を押さえ板１４０及び熱伝導グリース１２０を貫通した状態で移動ベース８１に螺着し、これによって、押さえ板１４０によって熱伝導シート１１０の接続片１１０ｂを図５中矢印Ｐ方向に押圧し、これによって該接続片１１０ｂを熱伝導グリース１２０を介して半導体レーザー８２のパッケージ８２ａに押しつけた状態とする。従って、半導体レーザー８２のパッケージ８２ａと熱伝導シート１１０の接続片１１０ｂとの間の空気層が排除され、且つ、接続片１１０ｂがパッケージ８２ａに密着されるので、半導体レーザー８２で発生した熱が速やかに熱伝導シート１１０に伝達される。なお、上記押さえ板１４０には、例えば、ステンレス鋼、リン青銅等の金属が使用されるが、所望の押圧力が得られるものであれば、樹脂を使用しても良い。
【００４９】
図６は熱伝導シート１１０の接続片１１０ｃとレーザー駆動用集積回路８５のパッケージ８５ａとの接続例を示すものである。
【００５０】
この接続例において、プリント配線基板８４上に搭載されたレーザー駆動用集積回路８５のパッケージ８５ａの上面に熱伝導グリース１２０が塗布され、該熱伝導グリース１２０の上に熱伝導シート１１０の接続片１１０ｃが重ね合わされ、さらに、該接続片１１０ｃの上から押さえバネ１５０による押圧が為される。押さえバネ１５０は板バネ形状を成し、取付部１５１と押圧部１５２とが中間部１５３で連結されており、取付部１５１がネジ止め等適宜の手段によってプリント配線基板８４の上面に固定され、押圧部１５２が熱伝導シート１１０の接続片１１０ｃを図６中矢印Ｐ方向に押圧し、これによって、熱伝導シート１１０の接続片１１０ｃとレーザー駆動用集積回路８５のパッケージ８２ａとの間の密着性が高められ、レーザー駆動用集積回路８５から熱伝導シート１１０への熱伝導を良好にすることができる。この押さえバネ１５０には、例えば、ステンレス鋼、リン青銅等の金属から成る板バネが使用されるが、所望の押圧力が得られるものであれば、樹脂を使用しても良い。
【００５１】
なお、上記した実施の形態では、光ピックアップ８０とベース部材６０との間を熱伝導シート１１０によって熱的に接続し、光ピックアップ８０において発生する熱を極めて熱容量の大きなベース部材６０に伝導させる例を示したが、ベース部材６０に匹敵するくらい大きな熱容量を有するメカシャーシ５０に伝導させるようにしても良い。かかる場合には、図４に示した、ベースシャーシ６０と熱伝導シート１１０との接続構造を、メカシャーシ５０と熱伝導部材１１０との接続構造に適用することができる。
【００５２】
また、上記実施の形態の説明では、光ピックアップ８０が支持されるメカシャーシ５０を金属製であると説明したが、上記実施の形態で示したように、ベース部材６０を金属製として、該ベース部材６０に熱伝導シート１１０を介して光ピックアップ８０で発生する熱を伝導する場合には、メカシャーシ５０が金属製であることは必須ではない。かかる場合には、メカシャーシ５０を樹脂で形成することも可能である。さらに、メカシャーシ５０に光ピックアップ８０で発生した熱を熱伝導シート１１０を介して伝導する場合には、ベース部材６０が金属製であることは必須ではない。要するに、光ピックアップ８０で発生する熱を放熱する部材５０又は６０のどちらかが熱伝導性の良好な金属で形成されていれば足りる。
【００５３】
さらに、上記した実施の形態において示した各部の形状及び構造は、何れも本発明を実施するに際して行う具体化のほんの一例を示したものにすぎず、これらによって本発明の技術的範囲が限定的に解釈されることがあってはならないものである。
【００５４】
【発明の効果】
以上に記載したところから明らかなように、本発明ディスクドライ装置は、回転するディスク状記録媒体の半径方向に移動可能に金属製のメカシャーシに支持された移動ベースに光源と対物レンズと光検出器と所定の光路を形成する光学系を備え、対物レンズによって光源からの光をディスク状記録媒体に照射すると共にディスク状記録媒体の記録面で反射された戻り光を光検出器に受光させるように構成された光ピックアップを備えたディスクドライブ装置であって、上記金属製メカシャーシに対する光ピックアップの移動に追従し得る可撓性を備えると共に熱伝導性を有するフレキシブルな熱伝導シートによって光ピックアップと金属製メカシャーシとの間を熱的に接続したことを特徴とする。
【００５５】
従って、本発明ディスクドライブ装置にあっては、光ピックアップに発生した熱は、熱伝導シートを介して熱容量が極めて大きい金属製メカシャーシに速やかに伝導される。そして、極めて大きな表面積を有する金属製メカシャーシから速やかに放熱される。
【００５６】
請求項２に記載した発明にあっては、上記フレキシブルな熱伝導シートがグラファイトシートであるので、光ピックアップで生じた熱の速やかな伝導が為される。
【００５７】
請求項３に記載した発明にあっては、上記フレキシブルな熱伝導シートを金属製メカシャーシ及び／又は光ピックアップに押しつける押しつけ部材を有するので、熱伝導シートと金属製メカシャーシ及び／又は光ピックアップとの間の熱的結合が良好に為される。
【００５８】
請求項４に記載した発明にあっては、上記フレキシブルな熱伝導シートと金属製メカシャーシ及び／又は光ピックアップとの間に熱伝導性を有するグリースが介在されたので、フレキシブルな熱伝導シートと金属製メカシャーシ及び／又は光ピックアップとの間に空気層が介在されることが確実に排除される。
【００５９】
請求項５に記載した発明にあっては、光源が半導体レーザーであり、フレキシブルな熱伝導シートの光ピックアップ側の端部は上記半導体レーザーに接触されたので、光ピックアップの中で比較的大きな熱源である半導体レーザーに発生する熱の放熱が確実に為される。
【００６０】
請求項６に記載した発明にあっては、光ピックアップが半導体レーザーを駆動するためのレーザー駆動用集積回路を備え、フレキシブルな熱伝導シートの光ピックアップ側の端部は上記レーザー駆動用集積回路に接触されたので、光ピックアップの中で比較的大きな熱源であるレーザー駆動用集積回路に発生する熱の放熱が確実に為される。
【００６１】
請求項７に記載した発明にあっては、上記光源が半導体レーザーであると共に光ピックアップが半導体レーザーを駆動するためのレーザー駆動用集積回路を備え、一のフレキシブルな熱伝導シートの光ピックアップ側の端部が上記半導体レーザーとレーザー駆動用集積回路に接触されたので、一の熱伝導シートによって半導体レーザー及びレーザー駆動用集積回路で発生する熱の放熱が確実に為される。
【００６２】
別の本発明ディスクドライブ装置は、回転するディスク状記録媒体の半径方向に移動可能にメカシャーシに支持された移動ベースに光源と対物レンズと光検出器と所定の光路を形成する光学系を備え、対物レンズによって光源からの光をディスク状記録媒体に照射すると共にディスク状記録媒体の記録面で反射された戻り光を光検出器に受光させるように構成された光ピックアップを備えたディスクドライブ装置であって、上記メカシャーシが直接的に又は間接的に支持される金属製のベース部材を備え、上記ベース部材に対する光ピックアップの移動に追従し得る可撓性を備えると共に熱伝導性を有するフレキシブルな熱伝導シートによって光ピックアップとベース部材との間を熱的に接続したことを特徴とする。
【００６３】
従って、別の本発明ディスクドライブ装置にあっては、光ピックアップに発生した熱は、熱伝導シートを介して熱容量が極めて大きい金属製ベース部材に速やかに伝導される。そして、ベース部材の大きな面積を有する表面から速やかに放熱される。
【００６４】
請求項９に記載した発明にあっては、上記フレキシブルな熱伝導シートがグラファイトシートであるので、光ピックアップで生じた熱の速やかな伝導が為される。
【００６５】
請求項１０に記載した発明にあっては、上記フレキシブルな熱伝導シートをベース部材及び／又は光ピックアップに押しつける押しつけ部材を有するので、熱伝導シートとベース部材及び／又は光ピックアップとの間の熱的結合が良好に為される。
【００６６】
請求項１１に記載した発明にあっては、上記フレキシブルな熱伝導シートとベース部材及び／又は光ピックアップとの間に熱伝導性を有するグリースが介在されたので、フレキシブルな熱伝導シートとベース部材及び／又は光ピックアップとの間に空気層が介在されることが確実に排除される。
【００６７】
請求項１２に記載した発明にあっては、光源が半導体レーザーであり、フレキシブルな熱伝導シートの光ピックアップ側の端部は上記半導体レーザーに接触されたので、光ピックアップの中で比較的大きな熱源である半導体レーザーに発生する熱の放熱が確実に為される。
【００６８】
請求項１３に記載した発明にあっては、光ピックアップが半導体レーザーを駆動するためのレーザー駆動用集積回路を備え、フレキシブルな熱伝導シートの光ピックアップ側の端部は上記レーザー駆動用集積回路に接触されたので、光ピックアップの中で比較的大きな熱源であるレーザー駆動用集積回路に発生する熱の放熱が確実に為される。
【００６９】
請求項１４に記載した発明にあっては、上記光源が半導体レーザーであると共に光ピックアップが半導体レーザーを駆動するためのレーザー駆動用集積回路を備え、一のフレキシブルな熱伝導シートの光ピックアップ側の端部が上記半導体レーザーとレーザー駆動用集積回路に接触されたので、一の熱伝導シートによって半導体レーザー及びレーザー駆動用集積回路で発生する熱の放熱が確実に為される。
【図面の簡単な説明】
【図１】図面は本発明ディスクドライブ装置の実施の形態を示すものであり、本図は概略斜視図である。
【図２】トレーが引き出された状態を示す概略斜視図である。
【図３】トレーを除去して示す要部の概略斜視図である。
【図４】ベース部材と熱伝導シートとの接続例を示す拡大断面図である。
【図５】半導体レーザーと熱伝導シートとの接続例を示す拡大断面図である。
【図６】レーザー駆動用集積回路と熱伝導シートとの接続例を示す拡大断面図である。
【図７】複数の材料の熱伝導率を比較するグラフ図である。
【符号の説明】
１０…ディスクドライブ装置、４０…ディスク状記録媒体、５０…メカシャーシ、６０…ベース部材、８０…光ピックアップ、８１…移動ベース、８２…半導体レーザー（光源）、８３…対物レンズ、１１０…フレキシブルな熱伝導シート、１１０ｂ…接触片（光ピックアップ側の端部）、１１０ｃ…接触片（光ピックアップ側の端部）、１２０…熱伝導グリース（熱伝導性を有するグリース）、１３０…押さえバネ（フレキシブルな熱伝導シートをベース部材（又はメカシャーシ）に押しつける押しつけ部材）、１４０…押さえ板（フレキシブルな熱伝導シートを光ピックアップ（半導体レーザー）に押しつける押しつけ部材）、１５０…押さえバネ（フレキシブルな熱伝導シートを光ピックアップ（レーザー駆動用集積回路）に押しつける押しつけ部材）
【図１】
2004310965.tif 000003
【図２】
2004310965.tif 000004
【図３】
2004310965.tif 000005
【図４】
2004310965.tif 000006
【図５】
2004310965.tif 000007
【図６】
2004310965.tif 000008
【図７】
2004310965.tif 000009